(57)【要約】【課題】        スパンドレルの熱膨張により組み付けられたスパンドレルに変形が生じる問題がある。また、スパンドレルの野縁への取り付けに手数が掛かるので、スパンドレルの取り付け作業を容易にする方法が望まれる。【解決手段】    スパンドレル（１）は、スパンドレル（１）の一側端部に立設された端部直立片部（３）を受け入れる凹溝（８）を有する突設部（９）と、この突設部（９）の基部から外方に延出して固定用ビス穴（１１）を有する固定用基板（１０）と、この固定用基板（１０）からスパンドレル端部の裏側面（１３）に延びてこれに対接する、ビス孔（１１）を備えた裏当板部（１２）とを備えていて、前記スパンドレルの端部直立片部（３）に弾性的に係合してこれを保持する固定具（５）を介して下地にビス固定される。【選択図】      図２
2006348527.tif 000002
【特許請求の範囲】
【請求項１】
スパンドレルと、スパンドレルの一側端に係合してスパンドレルを下地に固定する固定具とを備えたスパンドレル固定構造において、スパンドレルの一側端部に立設された端部直立片部を受け入れる凹溝を有する突設部と、この突設部の基部から外方に延出していて固定用ビス孔を有する固定用基板と、この固定用基板から前記スパンドレルの前記一側端部の裏側に延びて、スパンドレル端部の裏面に対接する裏当板部とを備えていて、前記スパンドレルの前記端部直立片部に弾性的に係合する、固定具によりスパンドレルが下地にビス固定されるスパンドレル固定構造。
【請求項２】
前記スパンドレルの前記端部直立片部が、前記凹溝と前記裏当板部とで弾性的に挟持される前記請求項１に記載のスパンドレル固定構造。
【請求項３】
前記スパンドレルの前記端部直立片部が、前記凹溝を形成するバネ性を有する溝側壁で弾性的に挟持される前記請求項１に記載のスパンドレル固定構造。
【請求項４】
前記スパンドレルの前記端部直立片部が、前記凹溝を形成する溝側壁に設けられた板バネにより弾性的に挟持される前記請求項３に記載のスパンドレル固定構造。
【発明の詳細な説明】
【技術分野】
【０００１】
本発明は、住宅、ビル等の建築物の天井や側壁に取り付けられるスパンドレルの固定構造に関する。
【背景技術】
【０００２】
住宅、ビル等の建築物の天井や側壁等に、押し出し成形加工等で作られた帯板材が取り付けられる。これらの長尺の異形帯板材は、スパンドレルと呼ばれるもので、その両側端部が互いに連結可能な異形形状に形成されていて、従来、その一側端を、取り付け下地、例えば、胴縁にビス等で固定しながら、順次に連結配設する方法で天井や側壁に取り付けられていた。
【０００３】
スパンドレルを下地に直接にビス止めする従来の方法で施工する場合、特に、アルミニウム合金製のスパンドレルを使用する場合には、温度による膨張収縮が大きいので、特に夏季には、伸びによる変形が生じ易いという問題がある。また、スパンドレルを下地に固定するための部分が狭く制限されているので作業性が悪い等が問題とされていた。
【０００４】
スパンドレルの熱膨張により発生する問題を解決する技術として、特公平７−３０６０８号公報には、特殊形状に構成した胴縁を使用し、この胴縁に対して摺動可能で、且つ、乾式外壁材の一側の固定部片を弾力を持ってクリップするクリップ部材で乾式外壁材を固定する方法が提案されている。この方法による場合、スパンドレルに膨張により発生する問題は解決されるが、特殊形状の胴縁を使用しなければならないという難点がある。
【０００５】
また、スパンドレルの取り付けを容易にする技術として、実開昭５３−１０５４１８号公報には、Ｕ字状パネルの一つの脚にＬ字状に外側に曲げた張出縁を形成し、他方の脚に前記張出縁と同じ方向に曲げられ且つ外方に開いたＵ字状部を有する支持縁を形成させたパネルと、この支持縁の自由端に固着可能で支持梁の脚を挟む舌を有するスライド金具を使用して、スライド金具を支持梁に対して摺動移動させることでパネルの組付組外しを可能にしたスパンドレルの取り付け取り外し方法が開示されている。
【０００６】
この方法による場合、支持梁の位置に合わせてスライド金具の取り付け位置をすみだしし、スライド金具を支持縁に固定させなければならず、作業性になお難がある。
【特許文献１】特公平７−３０６０８号公報
【特許文献２】実開昭５３−１０５４１８号公報
【発明の開示】
【発明が解決しようとする課題】
【０００７】
本発明は、上記に鑑み、熱膨張によってスパンドレルに変形を発生することのない、スパンドレルの固定構造を提供することを課題とする。
【０００８】
更に、この発明は、スパンドレルの取り付け作業を容易にすることができるスパンドレルの固定構造を提供することを課題とする。
【課題を解決するための手段】
【０００９】
本発明は、上記の課題を解決するために、スパンドレルと、スパンドレルの一側端に係合しスパンドレルを下地に固定する固定具とを備えたスパンドレル固定構造において、スパンドレルの一側端部に立設された端部直立片部を受け入れる凹溝を有する突設部と、この突設部の基部から外方に延出していて固定用ビス孔を有する固定用基板と、この固定用基板から、前記スパンドレルの前記一側端部の裏側に延びてスパンドレル端部裏面に対接する裏当板部とを備えていて、前記スパンドレルの前記端部直立片部に弾性的に係合する固定具によりスパンドレルが下地にビス固定されるスパンドレル固定構造を提供する。
【００１０】
上記の本発明において、スパンドレルの前記端部直立片部を、前記凹溝と前記裏当板部とで弾性的に挟持される構成とすることができる。
【００１１】
また、スパンドレルの前記端部直立片部を、前記凹溝を形成する溝側壁により弾性的に挟持される構成とすることができる。
【００１２】
また、スパンドレルの前記端部直立片部が、前記凹溝を形成する溝側壁に設けられた板バネにより弾性的に挟持されるような構成とすることができる。
【発明の効果】
【００１３】
本発明のスパンドレル固定構造においては、スパンドレル側端の端部直立片部が、固定具の凹溝に受け入れられて、固定具に弾性的に保持されている。したがって、固定具は、端部直立片部に沿って摺動可能であり、スパンドレルが熱膨張・収縮してもスパンドレルに変形が発生することがない。また、固定具は、スパンドレルの端部直立片部の長手方向の任意位置に容易に且つ簡単に取り付けることができ、また、取り付け後に移動することもできるので、胴縁の位置や幅間隔に配慮する必要はないので作業性が向上し、作業効率を向上させることができる。また、固定具は、スパンドレルの端部直立片部に弾性的に取り付けられるので、スパンドレルの取り付け前に予めその端部直立片部の任意位置に固定具を取り付けておくことも容易であり、作業性に融通性が付与される。
【発明を実施するための最良の形態】
【００１４】
図１は、スパンドレル１の取り付け状態を示し、図２は、固定部分の側面を示す。スパンドレル１は、一方の側端部に端部直立片部３を備えた支持端部２を有し、他方の側端部に、組み立て状態で隣のスパンドレル１の支持端部２に受け入れられて支持される張出端部４を有する。スパンドレル１は、その端部直立片部３に係合する固定具５で野縁６にビス７により固定され、その支持端部２に、次ぎのスパンドレル１の張出端部４を組み入れて、順次に野縁６に取り付けられる。
【００１５】
ここで、固定具５は、図３〜図６に示すように、装着状態でスパンドレル１の一方側端の端部直立片部３を受け入れる凹溝８を有する突設部９と、この突設部９の基部から外方、即ち、スパンドレル１から離れる方向に延出していて固定用ビス孔１１を有する固定用基板１０と、固定用基板１０から、スパンドレルの端部直立片部３に続くスパンドレル端部の裏側に延出して、その裏側面１３に対接する裏当板部１２を有し、バネ性を持って、好ましくはバネ鋼から成形されていて、スパンドレルの側端部に取り付けられた状態でスパンドレル端部直立片部３を弾性的に挟持する。なお、固定具５は、好ましくは、一枚のバネ鋼板から打ち抜き加工、プレス加工で一体に形成される。
また、裏当板部１２にも前記ビス孔１１に連通するビス穴１１が設けられる。
【００１６】
図３に示す例では、スパンドレル１の端部直立片部３は、固定具５の突設部９の凹溝８と裏当板部１２とで弾性的に挟持されている。
【００１７】
図４に示す例では、突設部９の溝８を構成する側壁１６にバネ性を有する屈曲部２１を設け、溝８の側壁間で端部直立片部３が挟持される。
【００１８】
また、図５及び図６に示す例では、突設部９の溝８を形成する側壁の一部を分轄して板バネ１４として構成し、板バネ１４により溝８内に端部直立片部３が挟持される構造としている。また、図７に示す例のように、固定具５から延出される裏当板部１２を長くしてその先端を屈曲させてバネ片１５を構成し、突設部９とバネ片１５とでスパンドレル端部を把持する構成とすることもできる。
【００１９】
本発明のスパンドレル固定構造は、図８の（Ａ）に示すように、スパンドレル支持側端部の端部直立片部３の先端部を固定具５の突設部９の凹溝８の自由側壁先端部と裏当板部１２との間に挿入した後、図８の（Ｂ）に示すように固定具５を矢印Ｐ方向に回転させて端部直立片部３を固定具５で弾性的に保持し、次いで、図８の（Ｃ）に示すように、ビス孔１１を通して、野縁６の適所にビス固定することで完成される。なお、固定具５は、端部直立片部３に沿って摺動させることができるので、野縁の所定位置に合わせて移動させることができ、取り付け作業が極めて容易になる。また、スパンドレルに固定具を取り付けたままの状態でスパンドレルを取り扱うこともできるので、作業の融通性が高まる。
【図面の簡単な説明】
【００２０】
【図１】スパンドレルの取り付け状態を示す斜視図である。
【図２】図１の固定部分の側面図である。
【図３】スパンドレル端部の端部直立片部に固定具を取り付けた状態を説明する側面図である。
【図４】スパンドレル端部の端部直立片部に固定具を取り付けた状態を説明する側面図である。
【図５】スパンドレル端部の端部直立片部に固定具を取り付けた状態を説明する斜視図である。
【図６】図５の側面図である。
【図７】スパンドレル端部の端部直立片部に固定具を取り付けた状態を説明する側面図である。
【図８】（Ａ）はスパンドレル端部に固定具を取り付ける第一過程を示す説明図である。（Ｂ）はスパンドレル端部に固定具を取り付ける中間過程を示す説明図である。（Ｃ）はスパンドレル端部に固定具を取り付ける最終過程を示す説明図である。
【符号の説明】
【００２１】
１    スパンドレル
２    スパンドレルの支持側端部
３    スパンドレルの支持側端部の端部直立片部
４    スパンドレルの張出側端部
５    固定具
６    野縁
７    ビス
８    固定具の突設部の溝部
９    固定具の突設部
１０    固定具の固定用基板
１１    固定基板および裏当板部に設けられたビス孔
１２    固定具に設けられた裏当板部
１３    スパンドレル端部の裏側面
１４    板バネ
１５    バネ片
１６    突設部の溝側壁
【図１】
2006348527.tif 000003
【図２】
2006348527.tif 000004
【図３】
2006348527.tif 000005
【図４】
2006348527.tif 000006
【図５】
2006348527.tif 000007
【図６】
2006348527.tif 000008
【図７】
2006348527.tif 000009
【図８】
2006348527.tif 000010